(57)【要約】      （修正有）【課題】同一タンブラ装着孔に複数枚のディスクタンブラを挿入したシリンダ錠において、ディスクタンブラ間の動作不良を防止する。【解決手段】タンブラ装着孔１内にディスクタンブラ２を挿入したプラグ３をシリンダケース４内に回転自在に挿入してなり、ディスクタンブラ２の複数が同一のタンブラ装着孔１内に挿入されるとともに、タンブラ装着孔１内に収容される同一の圧縮スプリング５により付勢されて初期位置に保持されるシリンダ錠であって、タンブラ装着孔１には、隣接するディスクタンブラ２間に適宜の隙間を形成してディスクタンブラ２同士の密着状態を防止する仕切突部６を突設する。【選択図】  図５
2008101432.tif 000002
【特許請求の範囲】
【請求項１】
タンブラ装着孔内にディスクタンブラを挿入したプラグをシリンダケース内に回転自在に挿入してなり、
前記ディスクタンブラの複数が同一のタンブラ装着孔内に挿入されるとともに、タンブラ装着孔内に収容される同一の圧縮スプリングにより付勢されて初期位置に保持されるシリンダ錠であって、
前記タンブラ装着孔には、隣接するディスクタンブラ間に適宜の隙間を形成してディスクタンブラ同士の密着状態を防止する仕切突部が突設されるシリンダ錠。
【請求項２】
前記タンブラ装着孔のディスクタンブラガイド壁面には、解錠キーの板厚寸法より大寸の幅寸法を有し、ディスクタンブラの移動方向に貫通する凹溝が形成され、
前記凹溝によりディスクタンブラ中央部とタンブラ装着孔１壁面との間に空隙を形成する請求項１記載のシリンダ錠。
【発明の詳細な説明】
【技術分野】
【０００１】
本発明は、シリンダ錠に関するものである。
【背景技術】
【０００２】
プラグ内のタンブラ数を増加させて鍵違い数を増加させるために、同一タンブラ装着孔に複数枚のディスクタンブラを挿入したシリンダ錠としては、特許文献１に記載のものが知られている。
【０００３】
この従来例において、シリンダ（プラグ）には案内路（タンブラ装着孔）が形成され、各タンブラ装着孔に２枚のタンブラ板（ディスクタンブラ）が装着される。２枚のタンブラは、表裏面が接した状態で、すなわち、表裏面を他のタンブラの摺動面とした状態でタンブラ装着孔に挿入され、タンブラ装着孔内に収容される同一のばね（圧縮スプリング）により初期位置側に付勢される。
【特許文献１】特公平４-５２３４７号公報
【発明の開示】
【発明が解決しようとする課題】
【０００４】
しかし、上述した従来例は、同一タンブラ装着孔内に収容されるディスクタンブラ同士が密着状態であるために、ディスクタンブラの腐食、あるいはディスクタンブラ間に噛み込んだ塵埃、腐食生成物等により動作不良が発生する可能性がある。
【０００５】
本発明は、以上の欠点を解消すべくなされたものであって、ディスクタンブラの円滑な作動を長期に渡って確保することのできるシリンダ錠の提供を目的とする。
【課題を解決するための手段】
【０００６】
プラグ３に形成されるタンブラ装着孔１には複数枚のディスクタンブラ２が装着され、同一の圧縮スプリング５により付勢されて初期位置に保持される。タンブラ装着孔１には、圧縮スプリング５の格納領域と、解錠キーの挿通部が確保される範囲で仕切突部６が突設され、各ディスクタンブラ２は、仕切突部６側壁を摺動面として作動する。
【０００７】
この結果、ディスクタンブラ２の表面に腐食生成物、あるいは塵埃等が付着しても、隣接する他のディスクタンブラ２の動作に悪影響を与えることがなくなり、動作信頼性が向上する。
【０００８】
さらに、シリンダ錠は、
タンブラ装着孔１のディスクタンブラ２ガイド壁面には、解錠キーの板厚寸法より大寸の幅寸法を有し、ディスクタンブラ２の移動方向に貫通する凹溝７が形成され、
前記凹溝７によりディスクタンブラ２中央部とタンブラ装着孔１の壁面との間に空隙を形成するように構成することができる。
【０００９】
このように構成すると、塵埃が解錠キーに付着してディスクタンブラ２まで導入されて落下した場合であっても、解錠キーの板厚寸法より幅広の領域には凹溝７が形成されているために、落下した塵埃等はディスクタンブラ２とタンブラ装着孔１との摺接壁に噛み込むことなく、確実に凹溝７からプラグ３外に排出されるために、ディスクタンブラ２の作動不良が発生しない。また、同様に、解錠キーに付着してきた水分によりディスクタンブラ２が腐食して発生した腐食生成物がディスクタンブラ２から脱落した場合にも凹溝７はプラグ３外への排出経路として機能する。
【発明の効果】
【００１０】
本発明によれば、ディスクタンブラの円滑な作動を長期に渡って確保することができる。
【発明を実施するための最良の形態】
【００１１】
図１に示すように、シリンダ錠は、複数のディスクタンブラ２を装着したプラグ３をシリンダケース４に回転自在に挿入して形成される。図１、図６（ｃ）に示すように、シリンダケース４には、対向位置に一対のロック溝４ａが長手通しに形成される。
【００１２】
上記ディスクタンブラ２を操作するための解錠キー８は、図３（ａ）、（ｂ）に示すように、表裏面にガイド溝８ａが形成されたほぼ矩形断面形状のブランク材に所定の解錠コード形成凹部８ｂを切削加工して形成される。解錠コード形成凹部８ｂは、図３（ｃ）、（ｄ）に示すように、後端（以後、本明細書において、シリンダ錠への解錠キー８の挿入方向を基準として挿入開始端側を「前方」、挿入終端側を「後方」とする。）に開放された連続溝として表裏面に形成される。
【００１３】
また、解錠キー８の表裏境界位置には、前後方向に一対のリブ８ｃが連設される。
【００１４】
表裏反転姿勢での使用を可能にするために、上記ブランク材の断面形状は断面中心に対して点対称形状とされ、さらに、解錠コード形成凹部８ｂは、上記断面中心に対して点対称位置に形成される。
【００１５】
上記プラグ３は一般部の前端に拡径頭部３ａを、後端に回転出力部３ｂを有する円筒体で、内部には回転中心に沿って前後方向に長いキー挿入部３ｃが開設される。図４（ａ）に示すように、キー挿入部３ｃはガイド溝８ａを加工する前のブランク材が挿通可能な断面形状を有し、プラグ３の一般部終端近傍からプラグ３前方に開放される。
【００１６】
プラグ３の拡径頭部３ａには、上記キー挿入部３ｃに直交してプレート装着溝３ｄが上下に貫通して開設され、プレート体９が収容される。図４（ａ）に示すように、プレート体９は、ステンレスの金属板材に打ち抜き加工を施して概ね上下に長い矩形形状に形成される（以下、本明細書において図４（ａ）に示す姿勢を基準に上下を定義する。）。
【００１７】
９ａはプレート体９の中央部に開設されるキー挿通開口であり、上記解錠キー８のブランク材の断面形状にほぼ一致する。図４（ｃ）に示すように、プレート体９にはキー挿通開口９ａから突出する突起９ｂが設けられる。突起９ｂは挿入される解錠キー８のガイド溝８ａに対応しており、当該箇所にガイド溝８ａが形成されていない異種の解錠キー８のプラグ３内への挿入を規制するガードプレートとしても機能する。
【００１８】
この実施の形態において、プレート体９のこの機能は鍵違い数の増加に利用される。すなわち、後述するように、シリンダ錠の鍵違い数は、ディスクタンブラ２の種類と装着枚数により決定されるが、これに加え、突起９ｂ位置の異なるプレート体９と、プレート体９の種類に対応したガイド溝８ａが形成された解錠キー８を設定すると、本来のキー違い数にプレート体９の種類をかけた数のキー違いを設定することが可能になる。
【００１９】
また、上記キー挿通開口９ａの下端部は、排出開口９ｃを経由して外部に開放される。排出開口９ｃの幅方向寸法は、キー挿通開口９ａの幅方向寸法より小寸に形成される。
【００２０】
さらに、プレート体９の下端部には、側方に向けて係止突起９ｄが突設される。下端部を先頭にしてプレート体９をプレート装着溝３ｄに押し込むと、係止突起９ｄがプレート装着溝３ｄの側壁に突設される係止突部３ｅに当接する。さらにプレート体９を押し込むと、排出開口９ｃの形成により片持梁状となった脚部が一旦内方に弾性的に撓んで係止突部３ｅを通過した後、再び原形に復帰して係止突起９ｄが係止突部３ｅの下端に係止して抜け止めされる。
【００２１】
したがってこの実施の形態において、施解錠操作を行うためにプラグ３内に挿入される解錠キー８は、まず、プレート体９のキー挿通開口９ａ内を通過する。水滴等が付着した解錠キー８が使用される場合、解錠キー８に付着した水滴はキー挿通開口９ａの内壁前端縁に付着して一部がそぎ落とされるようにしてキー挿入部３ｃに取り残され、少量の残部がキー挿通開口９ａ内に導かれる。キー挿通開口９ａの両側面から突設された突起９ｂは、ガイド溝８ａ内に入り込んだ水滴を確実に外部に送り出す。
【００２２】
解錠キー８の外周に付着したキー挿通開口９ａ内に導かれた水滴は、排出開口９ｃを経由してプレート装着溝３ｄ内に排出される。上記シリンダケース４のロック溝４ａは、プレート装着溝３ｄの下方まで至っており、プレート装着溝３ｄに排出された水は、さらに、ロック溝４ａを通って水抜き孔４ｂからシリンダ錠外部に排出される。
【００２３】
キー挿通開口９ａの経路長を長くし、かつ、プレート体９の弾発係止を利用した簡単な装着方法を可能にするために、上記プレート体９は、複数枚（本実施の形態においては２枚）のプレート体９が同一プレート装着溝３ｄに装着される。
【００２４】
上記プラグ３の一般部にはキー挿入部３ｃに直交してタンブラ装着孔１が形成され、ディスクタンブラ２が装着される。図５に示すように、ディスクタンブラ２は、上記プレート体９と同様に、銅合金等の金属板材に打ち抜き加工を施して概ね上下（図５（ｂ）においては左右）に長い矩形形状に形成される。ディスクタンブラ２の上下には、シリンダケース４側のロック溝４ａに嵌合可能なロック用突部２ａが突設されており、ロック用突部２ａの上下辺は、プラグ３の一般部の外径にほぼ等しい円の円弧により形成される。
【００２５】
また、ディスクタンブラ２の一方の縦辺の中心部にはストッパ切欠２ｂが、反対辺の中心部には上下をバネ受け突部２ｃとするバネ収容切欠２ｄが形成される。
【００２６】
さらに、上記ディスクタンブラ２の中央部には、キー挿通開口２ｅが開設される。キー挿通開口２ｅは、ガイド溝８ａ形成前のブランク材の断面形状より長手方向（上下方向）に長く形成されており、縦辺には内方に向けてコード形成突部２ｆが突設される。
【００２７】
以上のディスクタンブラ２は、解錠コード形成凹部８ｂの突出位置を異ならせることにより複数種が設定される。また、ストッパ切欠２ｂは、全種類のディスクタンブラ２で長さ寸法が同一であり、種類毎に上下縁からの位置が異なるように設定される。
【００２８】
一方、タンブラ装着孔１は、上記ディスクタンブラ２の幅方向寸法にほぼ一致する幅寸法を有して上下に貫通する。図５（ａ）に示すように、このタンブラ装着孔１は、前後方向に２枚のディスクタンブラ２を並べて配置することができる奥行き寸法を有しており、中心部に２枚のディスクタンブラ２を仕切るように仕切突部６が突設される。
【００２９】
また、タンブラ装着孔１の前後壁面の中央部には凹溝７が形成される。凹溝７は、少なくともキー挿入部３ｃの幅寸法より幅広で、かつ、左右両側にディスクタンブラ２の摺接面が残るように形成される。
【００３０】
以上のように形成されるタンブラ装着孔１には、２枚を１組としたディスクタンブラ２が挿入される。図５（ｂ）に示すように、各組のタンブラは、コード形成突部２ｆが同一方向を向く姿勢でタンブラ装着孔１に挿入され、タンブラ挿入後にプラグ３に開設された横溝３ｆにストッパプレート１０が嵌合固定される。ストッパプレート１０は前後方向に長い板材で、固定状態においてディスクタンブラ２のストッパ切欠２ｂに嵌合し、ディスクタンブラ２の抜け止めを行う。
【００３１】
また、各組のディスクタンブラ２は、バネ収容切欠２ｄに１個の圧縮スプリング５を挟み込んだ状態でタンブラ装着孔１に挿入される。図６（ａ）に示すように、挿入状態において、各ディスクタンブラ２は圧縮スプリング５により押されてバネ受け突部２ｃが同一高さになる初期位置に保持される。
【００３２】
初期位置においてプラグ３内の全数、あるいは適数のディスクタンブラ２は、図６（ｃ）に示すように、上下いずれかのロック用突部２ａがプラグ３外周に飛び出してシリンダケース４のロック溝４ａに嵌合する。この状態が、プラグ３とシリンダケース４との回転境界が閉塞され、プラグ３への回転操作が禁止される施錠状態に対応する。
【００３３】
この初期位置からディスクタンブラ２間の相対位置が変化すると、図６（ｂ）に示すように、圧縮スプリング５の両端は異なったディスクタンブラ２のバネ受け突部２ｃにより押し込まれ、圧縮スプリング５は、弾性復元力により両ディスクタンブラ２に初期位置復帰方向の付勢力を与える。
【００３４】
したがってこの実施の形態において、各ディスクタンブラ２のコード形成突部２ｆに対応した解錠コード形成凹部８ｂを備えた真正な解錠キー８が挿入されると、図６（ｄ）に示すように、ディスクタンブラ２は、上下端がプラグ３の外周に一致する位置まで移動する。この結果、シリンダケース４とプラグ３との回転境界面が開放され、プラグ３への回転操作が可能な解錠状態となる。
【００３５】
また、同一のタンブラ装着孔１に装着される２枚のディスクタンブラ２間には仕切突部６が介装してディスクタンブラ２同士の密着が防止され、さらに、ディスクタンブラ２とタンブラ装着孔１の壁面との間には凹溝７が形成されるために、ディスクタンブラ２間、あるいはディスクタンブラ２とタンブラ装着孔１壁面との間に塵埃、あるいは腐食生成物が噛み込んで動作不良を起こすことがなくなる。
【図面の簡単な説明】
【００３６】
【図１】本発明を示す図で、（ａ）は正面図、（ｂ）は（ａ）の１Ｂ-１Ｂ線断面図である。
【図２】図１（ｂ）の２Ａ-２Ａ線のシリンダケースの断面図である。
【図３】解錠キーを示す図で、（ａ）はブランク材の正面図、（ｂ）は（ａ）の３Ｂ-３Ｂ線断面図、（ｃ）は解錠コード形成凹部８ｂを形成した状態の正面図、（ｄ）は（ｃ）の３Ｄ-３Ｄ線断面図である。
【図４】プレート体を示す図で、（ａ）はプラグへの装着工程を示す断面図、（ｂ）は装着後の状態を示す断面図、（ｃ）は解錠キーを挿入した状態を示す断面図である。
【図５】ディスクタンブラを示す図で、（ａ）は装着工程を示す図、（ｂ）は（ａ）の５Ｂ-５Ｂ線断面図である。
【図６】ディスクタンブラの動作を示す図で、（ａ）は表裏のディスクタンブラが初期位置にある状態を示す図、（ｂ）は初期位置から相対移動した状態を示す図、（ｃ）はプラグに装着した状態を示す図、（ｄ）は解錠状態を示す図である。
【符号の説明】
【００３７】
１        タンブラ装着孔
２        ディスクタンブラ
３        プラグ
４        シリンダケース
５        圧縮スプリング
６        仕切突部
７        凹溝
【図１】
2008101432.tif 000003
【図２】
2008101432.tif 000004
【図３】
2008101432.tif 000005
【図４】
2008101432.tif 000006
【図５】
2008101432.tif 000007
【図６】
2008101432.tif 000008